(57)【要約】      （修正有）【課題】ワイヤハーネスの配索方向を規定することで、コネクタを電子機器に嵌合する際の作業性の向上を図ったコネクタを提供する。【解決手段】コネクタ１は、一端が相手方コネクタに接続され、他端が電子機器に接続される端子２と、該端子の一端を収容するハウジング３と、を備え、一端がハウジングの内部において接続され、他端がハウジングの外壁３Ａを貫通してハウジングの外部に導出されて接続されるワイヤハーネス４と、ワイヤハーネスの他端側を、外壁の面延在方向にガイドするガイド部５と、を備え、ハウジングには、ガイド部を外壁に取り付ける取付部が設けられている。【選択図】図１０
2015018791.tif 000002
【特許請求の範囲】
【請求項１】
一端が相手方コネクタに接続され、他端が電子機器に接続される端子と、
該端子の一端を収容するハウジングと、を備えたコネクタであって、
一端が前記ハウジングの内部において接続され、他端が前記ハウジングの外壁を貫通して前記ハウジングの外部に導出されて接続されるワイヤハーネスを備え、
前記ハウジングが、筒状に形成され、
前記端子の前記他端が、前記ハウジングの一壁部を貫通して延出され、
前記ワイヤハーネスの前記他端が、前記一壁部から導出され、
前記一壁部に、前記ワイヤハーネスにおける前記導出された部分の一部又は全部を、前記端子と間隔をあけて保持するワイヤハーネス保持部が設けられていることを特徴とするコネクタ。
【請求項２】
前記ワイヤハーネス保持部が、前記一壁部に一体に形成され、前記ワイヤハーネスの電線部が互いの間に配置される一対のリブを有していることを特徴とする請求項１に記載のコネクタ。
【請求項３】
前記ワイヤハーネス保持部が、前記一壁部に一体に形成され、前記ワイヤハーネスの電線部が内部に配置される溝部を有していることを特徴とする請求項１又は２に記載のコネクタ。
【請求項４】
前記ワイヤハーネスにおける前記導出された部分の先端にはコネクタ部が設けられ、
前記ワイヤハーネス保持部が、前記コネクタ部を、その嵌合方向を前記ハウジングの嵌合方向に向けて前記一壁部の嵌合側端部近傍で掛止するコネクタ掛止部を有していることを特徴とする請求項１〜３のいずれか一項に記載のコネクタ。
【請求項５】
前記端子を複数備えるとともに、これら複数の前記端子の前記他端が前記相手方コネクタとの嵌合方向と直交する方向に並んで前記一壁部を貫通して延出され、
前記ワイヤハーネスの前記他端が、前記一壁部における前記嵌合側端部近傍でかつ前記端子の延出箇所に対して前記嵌合方向と直交する方向にずれた箇所から導出され、
前記ワイヤハーネス保持部が、前記ワイヤハーネスにおける前記導出された部分の一部をその導出箇所から前記一壁部における前記嵌合側端部と反対側の端部近傍まで前記嵌合方向と平行に保持するとともに、当該導出箇所に対して前記嵌合方向と直交する方向に１又は複数の前記端子の前記延出箇所を間に挟んでずれた箇所に前記コネクタ掛止部が配置されていることを特徴とする請求項４に記載のコネクタ。
【請求項６】
一端が相手方コネクタに接続され、他端が電子機器に接続される端子と、
該端子の一端を収容するハウジングと、を備えたコネクタであって、
一端が前記ハウジングの内部において接続され、他端が前記ハウジングの外壁を貫通して前記ハウジングの外部に導出されて接続されるワイヤハーネスと、
前記ワイヤハーネスの他端側を、前記外壁の面延在方向にガイドするガイド部と、を備え、
前記ハウジングには、前記ガイド部を前記外壁に取り付ける取付部が設けられていることを特徴とするコネクタ。
【請求項７】
前記取付部は、前記ガイド部を当該外壁に取り付けるための凹部又は貫通孔であり、
前記ガイド部は、前記面延在方向に前記ワイヤハーネスを挿通させるリング部と、該リング部に連続して設けられて前記凹部又は前記貫通孔に圧入される圧入部と、を備え、
前記外壁には、前記凹部又は前記貫通孔と隣接する位置に突部が設けられ、
前記ガイド部には、前記突部に当接される当接部が設けられ、
前記当接部が前記突部に当接されることにより、前記ガイド部の回転が規制されることを特徴とする請求項６記載のコネクタ。
【請求項８】
前記リング部は、前記ワイヤハーネスを前記リング部の内側に挿通させる開口部と、
前記リング部の内面から突出して設けられて、前記開口部を覆う覆い部と、を有していることを特徴とする請求項７記載のコネクタ。
【発明の詳細な説明】
【技術分野】
【０００１】
本発明は、一端が相手方コネクタに接続され、他端が電子機器に接続される端子と、該端子の一端側を収容するハウジングと、を備えたコネクタに関する。
【背景技術】
【０００２】
ハイブリッド車に搭載されたモータやインバータ等に電力を供給するためのコネクタ構造が知られている（例えば、特許文献１参照）。
【０００３】
特許文献１に記載された従来のコネクタ構造８０１は、図１４に示すように、電源回路に組み込まれるものであり、互いに嵌合・離脱可能な機器側コネクタ８０２、及び、ハーネス側コネクタ８０３と、機器側コネクタ８０２に一体形成された補助コネクタ部８０４に嵌合されるワイヤハーネス８０５と、機器側コネクタ８０２に設けられ、機器側コネクタ８０２及びハーネス側コネクタ８０３の嵌合、離脱方向（前後方向Ｘ）に直交する方向に延在したフランジ８０６と、を備えている。補助コネクタ部８０４は、フランジ８０６の前後方向Ｘのハーネス側コネクタ８０３側に設けられているとともに、機器側コネクタ８０２及びハーネス側コネクタ８０３の左右方向Ｙの一方側に設けられている。
【０００４】
ワイヤハーネス８０５は、一端がハーネス側コネクタ８０３側において図示しないコネクタに嵌合され、他端８０５Ａが、機器側コネクタ８０２とハーネス側コネクタ８０３とが嵌合した状態で、補助コネクタ部８０４に嵌合されることで、機器側コネクタ８０２及びハーネス側コネクタ８０３の嵌合が検知され、電源回路に設けられたリレースイッチが作動され、電源回路が形成されて、ハーネス側コネクタ８０３から機器側コネクタ８０２へ電力が供給されている。
【先行技術文献】
【特許文献】
【０００５】
【特許文献１】特開２０１０−２７２２４３号公報
【発明の概要】
【発明が解決しようとする課題】
【０００６】
しかしながら、従来のコネクタ構造８０１にあっては、ワイヤハーネス８０５は、その両端が、ハーネス側コネクタ８０３側で、それぞれ嵌合されていたが、例えば、ワイヤハーネス８０５は、その一端が、フランジ８０６の前後方向Ｘのハーネス側コネクタ８０３側と反対側でかつ機器側コネクタ８０２及びハーネス側コネクタ８０３の左右方向Ｙの他方側に機器側コネクタ８０２を横切って配索される場合には、ワイヤハーネス８０５が、機器側コネクタ８０２とハーネス側コネクタ８０３との間に挟まれる虞れがあり、機器側コネクタ８０２とハーネス側コネクタ８０３とを嵌合する際の作業性が悪かった。
【０００７】
本発明は、ワイヤハーネスの配索方向を規定することで、コネクタを電子機器に嵌合する際の作業性の向上を図ったコネクタを提供することを目的とする。
【課題を解決するための手段】
【０００８】
請求項１に記載された発明は、上記目的を達成するために、一端が相手方コネクタに接続され、他端が電子機器に接続される端子と、該端子の一端を収容するハウジングと、を備えたコネクタであって、一端が前記ハウジングの内部において接続され、他端が前記ハウジングの外壁を貫通して前記ハウジングの外部に導出されて接続されるワイヤハーネスを備え、前記ハウジングが、筒状に形成され、前記端子の前記他端が、前記ハウジングの一壁部を貫通して延出され、前記ワイヤハーネスの前記他端が、前記一壁部から導出され、前記一壁部に、前記ワイヤハーネスにおける前記導出された部分の一部又は全部を、前記端子と間隔をあけて保持するワイヤハーネス保持部が設けられていることを特徴とするコネクタである。
【０００９】
請求項２に記載された発明は、請求項１に記載された発明において、前記ワイヤハーネス保持部が、前記一壁部に一体に形成され、前記ワイヤハーネスの電線部が互いの間に配置される一対のリブを有していることを特徴とするものである。
【００１０】
請求項３に記載された発明は、請求項１又は２に記載された発明において、前記ワイヤハーネス保持部が、前記一壁部に一体に形成され、前記ワイヤハーネスの電線部が内部に配置される溝部を有していることを特徴とするものである。
【００１１】
請求項４に記載された発明は、請求項１〜３のいずれか一項に記載された発明において、前記ワイヤハーネスにおける前記導出された部分の先端にはコネクタ部が設けられ、前記ワイヤハーネス保持部が、前記コネクタ部を、その嵌合方向を前記ハウジングの嵌合方向に向けて前記一壁部の嵌合側端部近傍で掛止するコネクタ掛止部を有していることを特徴とするものである。
【００１２】
請求項５に記載された発明は、請求項４に記載された発明において、前記端子を複数備えるとともに、これら複数の前記端子の前記他端が前記相手方コネクタとの嵌合方向と直交する方向に並んで前記一壁部を貫通して延出され、前記ワイヤハーネスの前記他端が、前記一壁部における前記嵌合側端部近傍でかつ前記端子の延出箇所に対して前記嵌合方向と直交する方向にずれた箇所から導出され、前記ワイヤハーネス保持部が、前記ワイヤハーネスにおける前記導出された部分の一部をその導出箇所から前記一壁部における前記嵌合側端部と反対側の端部近傍まで前記嵌合方向と平行に保持するとともに、当該導出箇所に対して前記嵌合方向と直交する方向に１又は複数の前記端子の前記延出箇所を間に挟んでずれた箇所に前記コネクタ掛止部が配置されていることを特徴とするものである。
【００１３】
請求項６に記載された発明は、一端が相手方コネクタに接続され、他端が電子機器に接続される端子と、該端子の一端を収容するハウジングと、を備えたコネクタであって、一端が前記ハウジングの内部において接続され、他端が前記ハウジングの外壁を貫通して前記ハウジングの外部に導出されて接続されるワイヤハーネスと、前記ワイヤハーネスの他端側を、前記外壁の面延在方向にガイドするガイド部と、を備え、前記ハウジングには、前記ガイド部を前記外壁に取り付ける取付部が設けられていることを特徴とするコネクタである。
【００１４】
請求項７に記載された発明は、請求項６に記載された発明において、前記取付部は、前記ガイド部を当該外壁に取り付けるための凹部又は貫通孔であり、前記ガイド部は、前記面延在方向に前記ワイヤハーネスを挿通させるリング部と、該リング部に連続して設けられて前記凹部又は前記貫通孔に圧入される圧入部と、を備え、前記外壁には、前記凹部又は前記貫通孔と隣接する位置に突部が設けられ、前記ガイド部には、前記突部に当接される当接部が設けられ、前記当接部が前記突部に当接されることにより、前記ガイド部の回転が規制されることを特徴とするものである。
【００１５】
請求項８に記載された発明は、請求項７に記載された発明において、前記リング部は、前記ワイヤハーネスを前記リング部の内側に挿通させる開口部と、前記リング部の内面から突出して設けられて、前記開口部を覆う覆い部と、を有していることを特徴とするものである。
【発明の効果】
【００１６】
請求項１に記載された発明によれば、電子機器に接続される端子の他端が、筒状に形成されたハウジングの一壁部を貫通して延出されるとともに、ワイヤハーネスの他端が、当該一壁部から導出される。そして、ハウジングの一壁部には、ワイヤハーネスにおける一壁部から導出された部分の一部又は全部を、端子と間隔をあけて保持するワイヤハーネス保持部が設けられている。このようにしたことから、ワイヤハーネスは、その一壁部から導出された部分の一部又は全部が、ワイヤハーネス保持部によって端子における一壁部から延出された部分と間隔をあけて当該一壁部に保持されるので、配索方向以外の方向への移動を規制された状態で配索されることとなる。そのため、端子を電子機器に嵌合するなどの取り付けの際に、ワイヤハーネスが自由に移動することによる電子機器や端子の他端への干渉を抑制できるとともに、相手方コネクタと嵌合する際に、ワイヤハーネスがハウジングの嵌合側端部を跨いでしまうことを抑制できる。このように、ワイヤハーネス保持部により、ワイヤハーネスを、電子機器や端子に干渉しない位置に配索させることで、コネクタを電子機器に嵌合するなど取り付ける際の作業性の向上を図ることができる。また、ワイヤハーネス保持部が、端子の他端が延出される一壁部に設けられている。そのため、例えば、コネクタを電子機器に取り付ける際に端子の他端が電子機器のケースに設けられた開口に挿入される構成の場合、一壁部が開口に重ねて配置されることによりワイヤハーネス保持部がケース内に配置され、又は、一壁部が開口に間隔をあけて重ねて配置されることによりワイヤハーネス保持部がケースと一壁部との間に配置される。これにより、ハウジングにおける端子の他端の延出箇所付近の空間を有効に利用でき、このコネクタを備えた装置等の小型化に寄与できる。
【００１７】
請求項２に記載された発明によれば、ワイヤハーネス保持部が、一壁部に一体に形成され、ワイヤハーネスの電線部が互いの間に配置される一対のリブを有している。このようにしたことから、ハウジングに一体に形成された簡易な形状の一対のリブにより、ワイヤハーネスを保持することができるので、製造コストを抑制できる。また、一対のリブを設けることでハウジングを補強することができる。
【００１８】
請求項３に記載された発明によれば、ワイヤハーネス保持部が、一壁部に一体に形成され、ワイヤハーネスの電線部が内部に配置される溝部を有している。このようにしたことから、ハウジングに一体に形成された簡易な形状の溝部により、ワイヤハーネスを保持することができるので、製造コストを抑制できる。
【００１９】
請求項４に記載された発明によれば、ワイヤハーネスにおける一壁部から導出された部分の先端にはコネクタ部が設けられ、ワイヤハーネス保持部が、コネクタ部を、その嵌合方向をハウジングの嵌合方向に向けて当該ハウジングの嵌合側端部近傍で掛止するコネクタ掛止部を有している。このようにしたことから、ワイヤハーネスのコネクタ部とハウジングの嵌合方向とが同一方向を向くので、ハウジングをその相手方コネクタとの嵌合に合わせてワイヤハーネスのコネクタ部をその相手方コネクタと嵌合させることができる。そのため、ワイヤハーネスの接続の作業性の向上を図ることができる。
【００２０】
請求項５に記載された発明によれば、端子を複数備えるとともに、これら複数の端子の他端が相手方コネクタとの嵌合方向と直交する方向に並んでハウジングの一壁部を貫通して延出されている。ワイヤハーネスの他端が、一壁部における嵌合側端部近傍でかつ端子の延出箇所に対して嵌合方向と直交する方向にずれた箇所から導出されている。そして、ワイヤハーネス保持部が、ワイヤハーネスにおける一壁部から導出された部分の一部をその導出箇所から一壁部における嵌合側端部と反対側の端部近傍まで嵌合方向と平行に保持するとともに、当該導出箇所に対して嵌合方向と直交する方向に１又は複数の端子の延出箇所を間に挟んでずれた箇所にコネクタ掛止部が配置されている。このようにしたことから、ワイヤハーネスにおける一壁部から導出された部分が、ワイヤハーネス保持部により、当該部分の導出箇所から一壁部における嵌合側端部と反対側の端部に向けて嵌合方向と平行に延びて保持され、当該嵌合側端部と反対側の端部側において１又は複数の端子を回り込んで、コネクタ掛止部において当該部分の先端のコネクタ部がハウジングの嵌合方向と同一方向に向けられて嵌合方向端部近傍で掛止される。そのため、ワイヤハーネスにおける一壁部から導出された部分について、少なくともその基端部分と先端部分とが一壁部に保持されるので、より確実に配索方向以外の方向への移動を規制された状態で配索されることとなる。したがって、端子を電子機器に嵌合するなどの取り付けの際に、ワイヤハーネスが自由に移動することによる電子機器や端子の他端への干渉をより抑制できるとともに、相手方コネクタと嵌合する際に、ワイヤハーネスがハウジングの嵌合側端部を跨いでしまうことをより抑制できる。
【００２１】
請求項６に記載された発明によれば、ワイヤハーネスをハウジングの外壁の面延在方向にガイドするガイド部をさらに備え、ハウジングには、ガイド部を外壁に取り付ける取付部が設けられているから、ワイヤハーネスは、ガイド部により外壁の面延在方向に沿った配索方向にガイドされて配索方向を規定された状態、即ち、配索方向以外の方向への移動を規制された状態で配索されることとなり、よって、端子を電子機器に嵌合する際に、ワイヤハーネスが、電子機器と端子の他端とに干渉することを抑制できる。このように、ハウジングの外壁に取り付けられたガイド部により、ワイヤハーネスを、端子と電子機器とに干渉しない位置に配索させることで、コネクタを電子機器に嵌合する際の作業性の向上を図ることができる。
【００２２】
請求項７に記載された発明によれば、リング部内にワイヤハーネスを挿通させるとともに、外壁に設けられた凹部又は貫通孔に圧入部を圧入する簡単な作業で、ワイヤハーネスをガイド部に取り付けること、及びガイド部を外壁に取り付けることができる。また、ガイド部の当接部が外壁の突部に当接されることにより、ガイド部の回転を規制して、ガイド部に挿通されたワイヤハーネスの外壁の面延在方向に沿った所望の配索方向への配索を維持できる。また、当接部を突部に当接させるようにガイド部を凹部又は貫通孔に圧入することで、ガイド部のガイド取付部への誤組付けを防止できる。
【００２３】
請求項８に記載された発明によれば、リング部は、ワイヤハーネスをリング部の内側に挿通させる開口部と、リング部の内面から突出して設けられて、開口部を覆う覆い部と、を有しているから、開口部からワイヤハーネスをリング部の内側に押し込む簡単な作業で、リング部の内部に挿通させることができるとともに、ワイヤハーネスがリング部の内部に挿通された状態で、覆い部が開口部を覆っているから、リング部の内部に挿通されたワイヤハーネスがリング部の外部に抜け出ることが防止される。
【図面の簡単な説明】
【００２４】
【図１】本発明の第１の実施形態に係るコネクタの斜視図である。
【図２】図１のコネクタの平面図である。
【図３】図１のコネクタの正面図である。
【図４】図１のコネクタの底面図である。
【図５】図１のコネクタが備えるワイヤハーネス保持部の溝部の拡大斜視図である。
【図６】図１のコネクタが備えるワイヤハーネス保持部のコネクタ掛止部の拡大斜視図である。
【図７】図１のコネクタの電子機器への取り付けを説明する斜視図である。
【図８】図１のコネクタを電子機器に取り付けた構成体の平面図である。
【図９】図１のコネクタの変形例の構成を示す斜視図である。
【図１０】本発明の第２の実施形態にかかるコネクタの斜視図である。
【図１１】図１０に示されたコネクタを構成するハウジングを示す斜視図である。
【図１２】図１０に示されたコネクタを構成するガイド部を示す斜視図である。
【図１３】図１２に示されたガイド部が誤組付けされた状態を示す斜視図である。
【図１４】従来のコネクタ構造を示す平面図である。
【発明を実施するための形態】
【００２５】
（第１の実施形態）
以下、本発明の第１の実施の形態にかかるコネクタを図１〜図９を参照して説明する。
【００２６】
図１は、本発明の第１の実施形態に係るコネクタの斜視図であり、図２〜図４は、平面図、正面図及び底面図である。図５は、図１のコネクタが備えるワイヤハーネス保持部の溝部の拡大斜視図である。図６は、図１のコネクタが備えるワイヤハーネス保持部のコネクタ掛止部の拡大斜視図である。図７は、図１のコネクタと電子機器との分解立体図であって、図１のコネクタの電子機器への取り付けを説明する斜視図である。図８は、図１のコネクタを電子機器に取り付けた構成体の平面図である。図９は、図１のコネクタの変形例の構成を示す斜視図である。各図において、便宜上、互いに直交する矢印Ｘ、Ｙ、Ｚ方向を用いて位置関係を説明する。
【００２７】
本実施形態のコネクタは、例えば、三相交流電源用コネクタとしてハイブリッド車等に搭戴されたモータやインバータ等の電子機器に取り付けられる。このコネクタは、図示しない電源ケーブルの先端に設けられた相手方コネクタと嵌合され、電源回路から電源ケーブルを通じて送られる電力を電子機器に供給するものである。
【００２８】
図１〜図４に示すように、本実施形態のコネクタ１０１は、ハウジング１１０と、複数の端子１３０と、嵌合検知部１４０と、ワイヤハーネスの一例である嵌合検知ハーネス１５０と、ワイヤハーネス保持部１６０と、を備えている。
【００２９】
ハウジング１１０は、合成樹脂製であって、ハウジング本体１１１と、一対の固定片１１９と、を一体に有している。
【００３０】
ハウジング本体１１１は、一端が開口されかつ他端が塞がれた有底の略四角筒状に形成されている。各図において、ハウジング本体１１１はその軸方向が矢印Ｘ方向となるように配置されている。また、ハウジング本体１１１において他端から一端に向かう方向（図１において、矢印Ｘと平行で上方に向かう方向）が相手方コネクタとの嵌合方向となる。ハウジング本体１１１は、長方形板状の底壁１１２と、底壁１１２の周縁から立設された外壁の一例としての周壁１１３と、を一体に有している。周壁１１３は、平板状の４つの側壁を有している。これら４つの側壁のうちの図中矢印Ｚ方向に対向する一対の側壁１１４、１１５について、これらのうちの電子機器３００（図５）寄りに配置されて当該電子機器３００と対向するものを「第１側壁１１４」とし、第１側壁１１４に対向して配置されたものを「第２側壁１１５」として、以下説明する。
【００３１】
第１側壁１１４は、側壁本体１１４ａと、台状部１１４ｂと、を一体に有している。側壁本体１１４ａは、長方形板状に形成され、その長手方向が矢印Ｙ方向に沿うとともに、その幅方向が矢印Ｘ方向に沿って配置されている。台状部１１４ｂは、側壁本体１１４ａの外面における底壁１１２寄りでかつ矢印Ｙ方向中央の箇所に設けられており、矢印Ｚ方向にむけて台状に突出して形成されている。換言すると、第１側壁１１４は、底壁１１２寄りでかつ矢印Ｙ方向中央の箇所が、それ以外の箇所より平面視矩形状に肉厚に形成されている。
【００３２】
第１側壁１１４の側壁本体１１４ａには、後述する嵌合検知ハーネス１５０を、周壁１１３の内側から外側に引き出すための導出部１１４ｃが設けられている。この導出部１１４ｃによって、嵌合検知ハーネス１５０の他端側が第１側壁１１４を貫通して外側に導出される。本実施形態において、導出部１１４ｃは、側壁本体１１４ａにおける底壁１１２と反対側の縁部（即ち、嵌合側端部）でかつ後述する端子１３０Ａと端子１３０Ｂとの間の箇所に切欠形状に形成されている。換言すると、導出部１１４ｃは、一壁部１１４における相手方コネクタとの嵌合側端部近傍でかつ端子１３０の他端の延出箇所から矢印Ｙ方向にずれた位置に設けられている。この導出部１１４ｃは、後述するワイヤハーネス保持部１６０の一対のリブ１６１の間に配置されている。これ以外にも、導出部１１４ｃとして第１側壁１１４を貫通する貫通孔を採用するなど、嵌合検知ハーネス１５０の他端側を、第１側壁１１４を貫通して外側に導出させるものであれば、その構成は任意である。第１側壁１１４は、ハウジング１１０の一壁部の一例である。
【００３３】
第２側壁１１５は、上記第１側壁１１４の側壁本体１１４ａと同様に、長方形板状に形成され、その長手方向が矢印Ｙ方向に沿うとともに、その幅方向が矢印Ｘ方向に沿って配置されている。第２側壁１１５の内面には、ハウジング本体１１１の開口から内側に挿入された相手ハウジングを案内する複数の案内リブ１１６が形成されている。複数の案内リブ１１６は矢印Ｘ方向に延在し、矢印Ｙ方向に互いに間隔をあけて配置されている。
【００３４】
一対の固定片１１９は、周壁１１３の有する４つの側壁のうちの図中矢印Ｙ方向に対向する一対の側壁１１７、１１８に一体に形成されている。一対の固定片１１９は、先端が半円状の帯板形状であり、一対の側壁１１７、１１８における底壁１１２寄りの箇所から矢印Ｙ方向に向けて互いに離れるように突出して形成されている。各固定片１１９の１つの平面は、上記第１側壁１１４の外面と面一にされている。各固定片１１９は、先端部にねじ穴１１９ａが貫通して設けられており、このねじ穴１１９ａに図示しないボルトが挿通されて、電子機器３００にボルト固定（即ち締結）される。
【００３５】
複数の端子１３０は、それぞれ所定の帯板形状に打ち抜かれた板金を折り曲げ加工して形成されている。本実施形態では、３つの端子１３０を有している。これ以外にも、１つ、２つまたは４つ以上の端子を有した構成としてもよい。
【００３６】
複数の端子１３０は、インサート成形によりハウジング１１０と一体とされており、それぞれの一端側がハウジング１１０内部に収容され、他端側がハウジング１１０の第１側壁１１４を貫通して電子機器３００側に延出されている。
【００３７】
これら複数の端子１３０のそれぞれは、順次連接された平板状の部位である第１接続部１３１、貫通部１３２、立ち上げ部１３３及び第２接続部１３４を有している。
【００３８】
第１接続部１３１は、ハウジング１１０内に周壁１１３と間隔をあけて矢印Ｘ方向に平行に配置されている。貫通部１３２は、第１接続部１３１における底壁１１２寄りの端部に直角に連接され、ハウジング１１０の第１側壁１１４を貫通するよう配置されている。立ち上げ部１３３は、貫通部１３２におけるハウジング１１０外側の端部に直角に連接され、第１接続部１３１との間に第１側壁１１４を挟んで対向するように配置されている。第２接続部１３４は、立ち上げ部１３３における底壁１１２から離れた端部に直角に連接され、ハウジング１１０から離れるように延在して配置されている。
【００３９】
第１接続部１３１は、底壁１１２から離れた先端に先細となるテーパ面が形成されるとともに当該端部がハウジング１１０の開口近傍に配置されている。第１接続部１３１は、嵌合時に相手方コネクタのメス端子と接触されるオス端子として機能する。複数の端子１３０の第１接続部１３１は、ハウジング１１０内で矢印Ｙ方向に間隔をあけて一列に並べて配置されている。
【００４０】
第２接続部１３４は、先端部に貫通孔１３４ａが形成され、この貫通孔１３４ａにボルトが挿通されて電子機器３００の図示しない接続端子と締結される。
【００４１】
複数の端子１３０のうちの図１の左寄りで第１側壁１１４の側壁本体１１４ａを貫通するものを、「第１端子１３０Ａ」とし、図１の右寄りで側壁本体１１４ａを貫通するものを、「第３端子１３０Ｃ」とし、第１端子１３０Ａと第３端子１３０Ｃとの間で側壁本体１１４ａ及び台状部１１４ｂを貫通するものを「第２端子１３０Ｂ」として以下説明する。
【００４２】
嵌合検知部１４０は、ハウジング１１０内に設けられ、相手方コネクタと正常に嵌合したことを検知する。具体的には、嵌合検知部１４０は、嵌合の際に、複数の端子１３０の第１接続部１３１の全てが相手方コネクタのメス端子と接触したあとに、所定の電位（例えば、高電位）となる信号を出力し、嵌合解除の際に、複数の端子１３０の第１接続部１３１のいずれかが相手方コネクタのメス端子と離間する前に上記電位とは異なる他の電位（低電位）となる信号を出力するように構成されている。一例として、嵌合検知部１４０は、ハウジング１１０の底壁１１２内面に矢印Ｘ方向に立設された図示しない一対の端子金具を有し、これら一対の端子金具の先端が上記第１接続部１３１の先端より底壁１１２寄りに配置されている。これにより、これら一対の端子金具は、嵌合の際に複数の端子１３０の第１接続部１３１の全てが相手方コネクタのメス端子に接触したあとに、相手方コネクタに設けられた当該端子金具に対応する相手端子金具と接触して短絡状態となり、嵌合解除の際に、当該一対の端子金具が最初に相手端子金具と離間して絶縁状態となったあとに、第１接続部１３１がメス端子と離間する。または、嵌合検知部１４０は、上記端子金具に代えて、相手方コネクタの嵌合・嵌合解除によりオンオフされる機械式マイクロスイッチなどを有していてもよい。
【００４３】
嵌合検知ハーネス１５０は、電線部１５１と、電線部１５１の一端に設けられた一端側コネクタ部１５２と、他端に設けられた他端側コネクタ部１５３と、を備えている。この嵌合検知ハーネス１５０は、一端側コネクタ部１５２が、嵌合検知部１４０に接続され、電線部１５１の他端側が、ハウジング１１０の第１側壁１１４の導出部１１４ｃから外側に導出されている。嵌合検知ハーネス１５０は、他端側コネクタ部１５３が図示しない電源回路に電気的に接続されることにより、嵌合検知部１４０から出力される嵌合状態を示す上記信号が電源回路に伝えられる。電源回路は、この信号を受けてコネクタ１０１と相手方コネクタとの嵌合を検知すると、図示しないリレースイッチを作動させ、電源回路から相手方コネクタ及びコネクタ１を通じて電子機器３００に電力を供給する。この嵌合検知ハーネス１５０におけるハウジング１１０外側に導出された部分は、次に説明するワイヤハーネス保持部１６０によって保持される。
【００４４】
ワイヤハーネス保持部１６０は、ハウジング１１０の第１側壁１１４に一体に設けられており、嵌合検知ハーネス１５０におけるハウジング１１０外側に導出された部分の全体を保持する。ワイヤハーネス保持部１６０は、一対のリブ１６１と、溝部１６２と、コネクタ掛止部１６３と、を有している。
【００４５】
一対のリブ１６１は、第１側壁１１４の側壁本体１１４ａにおける第１端子１３０Ａと第２端子１３０Ｂとの間に互いに間隔をあけて矢印Ｘ方向に延在して配設されている。一対のリブ１６１のそれぞれは、第１側壁１１４における矢印Ｘ方向に対向する縁部間にわたって立設されたリブ本体１６１ａと、リブ本体１６１ａの先端に連接され、他方のリブ本体１６１ａに向かって延びる庇部１６１ｂと、を有している。一対のリブ１６１の間には上述した導出部１１４ｃが配置されている。一対のリブ１６１のうちの第２端子１３０Ｂ寄りに配置されたリブ１６１のリブ本体１６１ａは、底壁１１２寄りの端部が、第１側壁１１４の台状部１１４ｂと一体にされている。一対のリブ１６１は、リブ本体１６１ａの間に、嵌合検知ハーネス１５０の電線部１５１におけるハウジング１１０外側に導出された部分の一部が配置され、庇部１６１ｂによって当該電線部１５１の一部がリブ本体１６１ａの間から外に出てしまうことを規制する。即ち、一対のリブ１６１は電線部１５１の一部を導出部１１４ｃから一壁部１１４における底壁１１２側縁部近傍まで相手方コネクタとの嵌合方向と平行に保持している。また、一対のリブ１６１は、電線部１５１の上記一部を第１側壁１１４の面延在方向に導いている。
【００４６】
溝部１６２は、第１側壁１１４の台状部１１４ｂにおける底壁１１２側（図１下方）を向く面に矢印Ｙ方向に延在して配設されている。図５に示すように、溝部１６２の互いに対向する一対の側面１６２ａにおける溝開口近傍には、それぞれの他方の側面に向けて突出する複数のくさび形状のロック爪１６２ｂが溝延在方向に間隔をあけて配設されている。溝部１６２内の溝空間は、第１端子１３０Ａ寄りの端において、一対のリブ１６１間の空間と連通している。溝部１６２は、溝空間内に電線部１５１における上記一部に連なる他の一部が配置され、ロック爪１６２ｂによって当該電線部１５１の他の一部が溝空間内から外に出てしまうことを規制する。即ち、溝部１６２は電線部１５１の他の一部を保持している。また、溝部１６２は、電線部１５１の上記他の一部を第１側壁１１４の面延在方向に導いている。
【００４７】
コネクタ掛止部１６３は、図６に示すように、略樋形状に形成されており、床部１６３ａとこの床部１６３ａの両縁部から立設された一対の側板部１６３ｂとを有している。コネクタ掛止部１６３は、第２端子１３０Ｂと第３端子１３０Ｃとの間に、床部１６３ａを側壁本体１１４ａに重ねて矢印Ｘ方向に延在して配設されている。換言すると、コネクタ係止部１６３は、ハウジング１１０の一壁部１１４の導出部１１４ｃに対して相手方コネクタの嵌合方向と直交する方向（矢印Ｙ方向）に端子１３０Ｂの延出箇所を間に挟んでずれた箇所に配置されている。
【００４８】
コネクタ掛止部１６３の一対の側板部１６３ｂは、それらの間に嵌合検知ハーネス１５０の他端側コネクタ部１５３を保持可能なように、当該他端側コネクタ部１５３の形状に合わせた間隔をあけて配置されている。また、一対の側板部１６３ｂは、それぞれの長さが側壁本体１１４ａの幅方向長さ（即ち、矢印Ｘ方向長さ）より短く、それぞれの一端が側壁本体１１４ａの底壁１１２側の縁部に合わせて配置されている。一対の側板部１６３ｂのうちの第２端子１３０Ｂ寄りに配置された一方の側板部１６３ｂは、底壁１１２寄りの端部が、第１側壁１１４の台状部１１４ｂと一体にされている。コネクタ掛止部１６３内の空間は、底壁１１２側寄りの端において、溝部１６２内の溝空間と連通している。
【００４９】
コネクタ掛止部１６３の床部１６３ａにおけるハウジング１１０開口寄り（図１上方寄り）の端部には、嵌合検知ハーネス１５０の他端側コネクタ部１５３を引っ掛ける掛止突起１６３ｃが設けられている。掛止突起１６３ｃは、矢印Ｘ方向に沿ってハウジング１１０開口側に向けて突出するように形成されている。
【００５０】
コネクタ掛止部１６３は、ハウジング１１０開口寄りの端部から他端側コネクタ部１５３が挿入されると、他端側コネクタ部１５３に設けられた掛止受部１５３ａが掛止突起１６３ｃに引っ掛かることにより、他端側コネクタ部１５３がコネクタ掛止部１６３内に掛止して保持される。このとき、他端側コネクタ部１５３は、先端面１５３ｂがハウジング１１０開口と同方向を向き、先端面１５３ｂとハウジング１１０の開口側端部とが同一平面上に位置する（即ち、矢印Ｘ方向について同一位置）状態で保持される。つまり、コネクタ掛止部１６３は、他端側コネクタ部１５３を、その嵌合方向（先端面１５３ｂが向く方向）をハウジング１１０の相手方コネクタとの嵌合方向に向けて当該ハウジング１１０の嵌合側端部近傍で掛止している。
【００５１】
コネクタ掛止部１６３は、掛止突起１６３ｃに他端側コネクタ部１５３が引っ掛けられることで、他端側コネクタ部１５３を保持するとともに、コネクタ掛止部１６３内側の空間内に、電線部１５１における上記他の一部に連なる残部が配置される。コネクタ掛止部１６３は、電線部１５１の上記残部を第１側壁１１４の面延在方向に導いている。
【００５２】
次に、上述したコネクタ１０１において、嵌合検知ハーネス１５０をワイヤハーネス保持部１６０に配策する手順の一例について説明する。
【００５３】
まず、嵌合検知ハーネス１５０の一端側コネクタ部１５２を、ハウジング１１０内の嵌合検知部１４０に接続する。次に、ハウジング１１０の導出部１１４ｃを通じて、電線部１５１をハウジング１１０内側から外側に導出する。それから、電線部１５１におけるハウジング１１０外側に導出された部分を、順に一対のリブ１６１の間、溝部１６２内及びコネクタ掛止部１６３内に引き回して配索する。そして、他端側コネクタ部１５３を、コネクタ掛止部１６３のハウジング１１０開口側の端部から挿入して、掛止突起１６３ｃに他端側コネクタ部１５３を引っ掛ける。これにより、嵌合検知ハーネス１５０におけるハウジング１１０外側に導出された部分の全体が、ワイヤハーネス保持部１６０によって端子１３０Ｂを略Ｕ字状に回り込むように配索されて保持される。このとき、嵌合検知ハーネス１５０の他端側コネクタ部１５３が、先端面１５３ｂをハウジング１１０開口と同方向に向けて、先端面１５３ｂとハウジング１１０の開口側端部とが同一平面上に位置する（即ち、矢印Ｘ方向について同一位置）状態で保持される。
【００５４】
そして、コネクタ１０１は、図７に示すように、電子機器３００のケース３０１の矩形状の開口３０１ａに複数の端子１３０の他端が挿入され、一対の固定片１１９がケース３０１の開口３０１ａの図中下縁及び両側縁に突出した枠部３０１ｂに重ねられるとともにボルト３１０によってケース３０１に固定される。このとき、図８に示すように、開口３０１ａとコネクタ１０１のハウジング１１０の第１側壁１１４とが間隔をあけて対向し、ワイヤハーネス保持部１６０がケース３０１と第１側壁１１４との間に配置される。
【００５５】
以上より、本実施形態によれば、電子機器３００に接続される端子１３０の他端が、筒状に形成されたハウジング１１０の第１側壁１１４を貫通して延出されるとともに、嵌合検知ハーネス１５０の他端が、当該第１側壁１１４から導出される。そして、ハウジング１１０の第１側壁１１４には、嵌合検知ハーネス１５０における第１側壁１１４から導出された部分の全部を、端子１３０と間隔をあけて保持するワイヤハーネス保持部１６０が設けられている。このようにしたことから、嵌合検知ハーネス１５０は、その第１側壁１１４から導出された部分の全部が、ワイヤハーネス保持部１６０によって端子１３０における第１側壁１１４から延出された部分と間隔をあけて当該第１側壁１１４に保持されるので、配索方向以外の方向への移動を規制された状態で配索されることとなる。そのため、端子１３０を電子機器３００に取り付ける際に、嵌合検知ハーネス１５０が自由に移動することによる電子機器３００や端子１３０の他端への干渉を抑制できるとともに、相手方コネクタと嵌合する際に、嵌合検知ハーネス１５０がハウジング１１０開口を跨いでしまうことを抑制できる。このように、ワイヤハーネス保持部１６０により、嵌合検知ハーネス１５０を、電子機器３００や端子１３０に干渉しない位置に配索させることで、コネクタ１０１を電子機器３００に取り付ける際の作業性の向上を図ることができる。また、ワイヤハーネス保持部１６０が、端子１３０の他端が延出される第１側壁１１４に設けられている。そのため、例えば、コネクタ１０１を電子機器３００に取り付ける際に、端子１３０の他端を電子機器３００に接続するために当該端子１３０の他端の一部が電子機器３００のケース３０１に設けられた開口３０１ａに挿入される構成の場合、第１側壁１１４が開口に間隔をあけて重ねて配置されることによりワイヤハーネス保持部１６０がケース３０１と第１側壁１１４との間に配置される。これにより、ハウジング１１０における端子１３０の他端の延出箇所付近の空間を有効に利用でき、このコネクタ１０１を備えた装置等の小型化に寄与できる。
【００５６】
また、ワイヤハーネス保持部１６０が、第１側壁１１４に一体に形成され、嵌合検知ハーネス１５０の電線部１５１が互いの間に配置される一対のリブ１６１を有している。このようにしたことから、ハウジング１１０に一体に形成された簡易な形状の一対のリブ１６１により、嵌合検知ハーネス１５０を保持することができるので、製造コストを抑制できる。また、一対のリブ１６１を設けることでハウジング１１０を補強することができる。
【００５７】
また、ワイヤハーネス保持部１６０が、第１側壁１１４に一体に形成され、嵌合検知ハーネス１５０の電線部１５１が内部に配置される溝部１６２を有している。このようにしたことから、ハウジング１１０に一体に形成された簡易な形状の溝部１６２により、嵌合検知ハーネス１５０を保持することができるので、製造コストを抑制できる。
【００５８】
また、嵌合検知ハーネス１５０における第１側壁１１４から導出された部分の先端には他端側コネクタ部１５３が設けられ、ワイヤハーネス保持部１６０が、他端側コネクタ部１５３を、その嵌合方向をハウジング１１０の嵌合方向に向けて当該ハウジング１１０の一壁部１１４の嵌合側端部近傍で掛止するコネクタ掛止部１６３を有している。このようにしたことから、嵌合検知ハーネス１５０の他端側コネクタ部１５３とハウジング１１０の嵌合方向とが同一方向を向くので、ハウジング１１０をその相手方コネクタとの嵌合に合わせてワイヤハーネスのコネクタ部をその相手方コネクタと嵌合させることができる。そのため、嵌合検知ハーネス１５０の接続の作業性の向上を図ることができる。
【００５９】
また、端子１３０を複数備えるとともに、これら複数の端子１３０の他端が相手方コネクタとの嵌合方向と直交する方向（矢印Ｙ方向）に並んでハウジング１１０の一壁部１１４を貫通して延出されている。嵌合検知ハーネス１５０の他端が、一壁部１１４における嵌合側端部近傍でかつ端子１３０の延出箇所に対して嵌合方向と直交する方向にずれた箇所から導出されている。そして、ワイヤハーネス保持部１６０が、嵌合検知ハーネス１５０における一壁部１１４から導出された部分の一部をその導出箇所である導出部１１４ｃから一壁部１１４における嵌合側端部と反対側の端部近傍まで嵌合方向（矢印Ｘ方向）と平行に保持するとともに、導出部１１４ｃに対して嵌合方向と直交する方向に１つの端子１３０Ｂの延出箇所を間に挟んでずれた箇所にコネクタ掛止部１６３が配置されている。このようにしたことから、嵌合検知ハーネス１５０における一壁部１１４から導出された部分が、ワイヤハーネス保持部１６０により、当該部分の導出部１１４ｃから一壁部１１４における嵌合側端部と反対側の端部に向けて嵌合方向と平行に延びて保持され、当該嵌合側端部と反対側の端部側において１つの端子１３０Ｂを回り込んで、コネクタ掛止部１６０において当該部分の先端の他端側コネクタ部１５３がハウジング１１０の嵌合方向と同一方向に向けられて一壁部１１４の嵌合方向端部近傍で掛止される。そのため、嵌合検知ハーネス１５０における一壁部１１４から導出された部分について、少なくともその基端部分と先端部分とが一壁部１１４に保持されるので、より確実に配索方向以外の方向への移動を規制された状態で配索されることとなる。したがって、端子１３０を電子機器３００に嵌合するなどの取り付けの際に、嵌合検知ハーネス１５０が自由に移動することによる電子機器３００や端子１３０の他端への干渉をより抑制できるとともに、相手方コネクタと嵌合する際に、嵌合検知ハーネス１５０がハウジング１１０の嵌合側端部を跨いでしまうことをより抑制できる。
【００６０】
上述した実施形態では、ワイヤハーネス保持部１６０が、嵌合検知ハーネス１５０における第１側壁１１４から導出された部分の全部を保持するように構成されていたが、これに限定されるものではない。例えば、上記ワイヤハーネス保持部１６０において、一対のリブ１６１、溝部１６２及びコネクタ掛止部１６３のうちの１つ又は２つのみを備えて、嵌合検知ハーネス１５０における第１側壁１１４から導出された部分の一部を保持する構成としてもよい。または、図９に示すように、上述したコネクタ１０１において、ワイヤハーネス保持部１６０に代えて、第１側壁１１４の外面に矢印Ｙ方向に延在して配設された一対のリブ１６１Ａを有するワイヤハーネス保持部１６０Ａを備えたコネクタ１０１Ａとしてもよい。コネクタ１０１Ａは、一対のリブ１６１Ａによって嵌合検知ハーネス１５０における第１側壁１１４から導出された部分の一部を互いの間に挟んで保持し、嵌合検知ハーネス１５０の当該部分を第１側壁１１４の面延在方向に導いている。
【００６１】
また、上述した実施形態では、第１側壁１１４における端子１３０Ａと端子１３０Ｂとの間に一対のリブ１６１が設けられ、端子１３０Ｂと端子１３０Ｃとの間にコネクタ掛止部１６３が設けられ、嵌合検知ハーネス１５０の第１側壁１１４から導出された部分が、ワイヤハーネス保持部１６０によって端子１３０ＢをＵ字状に回り込むように保持される構成であったが、これに限定されるものではない。例えば、ワイヤハーネス保持部１６０の配置を変更して、嵌合検知ハーネス１５０の第１側壁１１４から導出された部分が端子１３０Ａ又は端子１３０ＣをＵ字状に回り込むように保持される構成としてもよい。または、例えば、上述した実施形態において、二系統の三相交流に対応するために６つの端子を備え、そして、一対のリブ１６１とコネクタ掛止部１６３とをそれらの間に２つ以上の端子１３０の延出箇所を挟むように配置して、嵌合検知ハーネス１５０の第１側壁１１４から導出された部分が複数の端子１３０をＵ字状に回り込むように保持される構成としてもよい。
【００６２】
（第２の実施形態）
以下、本発明の第２の実施の形態にかかるコネクタを図１０〜図１３を参照して説明する。
【００６３】
コネクタ１は、電源回路に組み込まれ、相手方コネクタに嵌合及び、ハイブリッド車等に搭戴されたモータやインバータ等の電子機器に直に固定及び電気接続されて、電子機器に電力供給するものである。
【００６４】
コネクタ１は、図１０に示すように、一端が図示しない相手方コネクタに接続され、他端が電子機器に接続される３つの端子２と、３つの端子２の一端側を収容するハウジング３と、一端がハウジング３の内部において接続され、他端側がハウジング３の第１側壁３Ａ（「外壁」の一例）を貫通してハウジング３の外部に導出される嵌合検知ハーネス４（「ワイヤーハーネス」の一例）と、嵌合検知ハーネス４を配索方向にガイドするガイド部５と、を備えて構成されている。
【００６５】
３つの端子２は、図１０に示すように、それぞれ、板金に打ち抜き加工及び曲げ加工が施されて形成されたものであり、ハウジング３に一体成形されて該ハウジング３に固定されている。これらの３つの端子２はハウジング３に固定された状態で、一端側がハウジング３の内部に収容され、他端側がハウジング３の第１側壁３Ａを貫通して電子機器側に導出されている。３つの端子２は、互いに間隔をあけて設けられている。各端子２は、ハウジング３の第１側壁３Ａを貫通した平板状の貫通部２１と、貫通部２１の一端に連続されて相手方コネクタに接続される第１接続部２２と、貫通部２１の他端に連続されるとともに折り曲げられて立ち上がる立ち上げ部２３と、立ち上げ部２３に連続されて電子機器に接続される第２接続部２４と、を備えている。貫通部２１は、その他端側の一部が、ハウジング３の外部に露出していて、ハウジング３の第１側壁３Ａと立ち上げ部２３との間の空間に、嵌合検知ハーネス４及びガイド部５が位置される。第１接続部２２は、ハウジング３の内部において、先端が上方（図１０中の上方）に向かって延在している。第２接続部２４は、ハウジング３の外部において、先端が電子機器側に向かって延在している。以下では、３つの端子２のうち、図１１中の左上側の端子を、「第１端子２Ａ」と記し、図１１中の右下側の端子を、「第３端子２Ｃ」と記し、第１端子２Ａと第２端子２との間の端子２を「第２端子２Ｂ」と記す。
【００６６】
ここで、３つの端子２Ａ、２Ｂ、２Ｃが並ぶ方向及び、嵌合検知ハーネス４の配索方向を矢印Ｙで示し、各端子２の第１接続部２２が延在する方向を矢印Ｘで示し、矢印Ｙと矢印Ｘとに直交する方向であり、コネクタ１の電子機器側に向かう方向を矢印Ｚ方向で示す。また、本明細書では、矢印Ｘで示す方向を「上下方向」と記す場合があり、第１接続部２２が延在する方向を「上方」と記し、第１接続部２２の延在反対方向を「下方」と記す場合がある。また、本明細書では、３つの端子２が並ぶ方向（矢印Ｘ方向）のうち、第１端子２Ａ側を「一端部」又は「一端側」と記し、第３端子２Ｃ側を「他端部」又は「他端側」と記す場合がある。
【００６７】
ハウジング３は、図１１に示すように、相手方コネクタの相手ハウジングに嵌合される有底筒状のハウジング本体３１と、ハウジング本体３１から矢印Ｙ方向に突出して形成されて電子機器にボルト固定（即ち締結）される一対の固定片３２と、を一体に備えている。ハウジング本体３１は、長方形板状の底壁３３と、底壁３３の周縁から立設して３つの端子２を収容する周壁３４と、を備えている。周壁３４には、その内周面から間隔をあけた位置に互いに間隔をあけて３つの端子２の一端側が収容されている。周壁３４は、平板状の４つの側壁から構成されている。４つの側壁のうち、矢印Ｚ方向に対向する一対の側壁３Ａ、３Ｂには、それぞれの内面に、相手ハウジングを案内する案内リブ３５が形成されている。案内リブ３５は、３つの端子２Ａ、２Ｂ、２Ｃと、矢印Ｚ方向に対向する位置に設けられている。各案内リブ３５は、突条に形成され、上端が側壁の上端縁に連続され、下端が矢印Ｘ方向の下方に延在して形成されている。以下では、一対の側壁３Ａ、３Ｂのうち、電子機器の近傍に設けられているとともにこの電子機器と対向する側壁を「第１側壁３Ａ」と記し、第１側壁３Ａに対向して設けられた側壁を「第２側壁４Ｂ」と記す。
【００６８】
第１側壁３Ａは、長方形板状に形成され、その長手方向が矢印Ｙ方向に沿うとともに、その幅方向が矢印Ｘ方向に沿って設けられている。第１側壁３Ａには、一端がハウジング本体３１の内部において嵌合された嵌合検知ハーネス４の他端側をハウジング本体３１の外部に導出させる導出部３６と、ハウジング本体３１の外部に導出された嵌合検知ハーネス４の他端側を配索方向Ｙにガイドするガイド部５を取り付けるためのガイド取付部３７（「取付部」の一例）と、このガイド取付部３７に隣接して設けられガイド部５が回転することを規制する回転規制部３８（「突部」の一例）と、が設けられている。
【００６９】
導出部３６は、第１側壁３Ａにおける第１端子２Ａと第２端子２Ｂとの間に設けられ、第１側壁３Ａの上端を切り欠いて形成された切欠形状に形成されている。切欠形状の導出部３６は、第１側壁３Ａの上端から矢印Ｘ方向の下端に延在して形成されている。導出部３６は、嵌合検知ハーネス４の電線４０を圧入可能な大きさに形成されていて、嵌合検知ハーネス４の電線４０が導出部３６内に圧入されて、他端側がハウジング本体３１の外部に導出されている。ここで、本実施形態では、導出部３６は切欠形状に形成されていたが、本発明はこれに限ったものではなく、導出部３６は、嵌合検知ハーネス４の他端側をハウジング本体３１の第１側壁３Ａを貫通して外側に導出させればよく、第１側壁３Ａを貫通した貫通孔であってもよい。
【００７０】
ガイド取付部３７は、第１側壁３Ａにおける第２端子２Ｂと第３端子２Ｃとの間に設けられている。ガイド取付部３７は、第１側壁３Ａを貫通した平面視円形の貫通孔から構成されていて、導出部３６の下端よりも僅かに下方に設けられている。また、ガイド取付部３７は、ガイド部５の圧入部５３を圧入可能な大きさに形成されていて、圧入部５３がガイド取付部３７に圧入されることにより、ガイド部５がガイド取付部３７に取り付けられている。本実施形態では、ガイド取付部３７は貫通孔から構成されていたが、本発明はこれに限ったものではなく、ガイド取付部３７は、圧入部５３を圧入可能な凹部から構成されていてもよい。
【００７１】
回転規制部３８は、第１側壁３Ａにおけるガイド取付部３７と第３端子２Ｃとの間に設けられている。この回転規制部３８は、ガイド取付部３７の矢印Ｙ方向の他端側において、そのガイド取付部３７を構成する貫通孔の一部を僅かに塞ぐ位置、又は、ガイド取付部３７に近接した位置に設けられている。回転規制部３８は、第１側壁３Ａの外面において、上端が第１側壁３Ａの上端から間隔をあけた位置に設けられ、下端が第３端子２Ｃの第２接続部２４よりも下方まで延在した突条に形成されている。回転規制部３８は、その長手方向が、上下方向（矢印Ｘ方向）に沿うとともに、その幅方向が矢印Ｙ方向に沿って設けられた直方体状に形成されている。この回転規制部３８は、その出寸法が、長手方向及び幅方向の全長に亘って一定となるように形成されている。回転規制部３８は、ガイド部５がガイド取付部３７に取り付けられた状態で、ガイド部５の基板５１及びリング部５２の基板５１側の一部（図１２に示し、当接部５０と記す）が、回転規制部３８のガイド取付部３７側の端面に接触又は近接して設けられている。即ち、ガイド部５の当接部５０が回転規制部３８に当接可能に設けられている。本実施形態では、回転規制部３８（「突部」の一例）は上下方向に連続された突条に形成されていたが、本発明はこれに限ったものではなく、突部は、上下方向に間隔をあけた２つ以上の凸部（図示しない）から形成されていてもよい。
【００７２】
一対の固定片３２は、ハウジング本体３１の下方側において、第１側壁３Ａの上下方向（矢印Ｘ方向）の縁の一部から矢印Ｙ方向に互いに離れる方向に突出して形成されているとともに、第１側壁３Ａの面延在方向（矢印ＸＹ方向）に延在した板状に形成されている。各固定片３２の上端は、上下方向（矢印Ｘ方向）のガイド取付部３７と、端子２の第２接続部２４との間に位置し、下端は、第１側壁３Ａの下端縁に連続されている。
【００７３】
嵌合検知ハーネス４は、図１０に示すように、電線４０と、電線４０の両端に取り付けられる一対の検知コネクタ４１（他端側のコネクタのみを示す）と、を備えている。この嵌合検知ハーネス４は、両端がそれぞれ接続されることにより、コネクタ１と相手方コネクタ、及び、コネクタ１と電子機器のそれぞれの嵌合を検知して、図示しないリレースイッチを作動させ、駆動源からの電力を、相手方コネクタ及びコネクタ１を介して電子機器に供給する。この嵌合検知ハーネス４は、配索方向（矢印Ｙ方向）とハウジング３の固定片３２とが矢印Ｘ方向にずらされた位置になるように、ハウジング３の第１側壁３Ａに取り付けられている。
【００７４】
ガイド部５は、図１２、図１３に示すように、弾性を有する合成樹脂から構成されている。ガイド部５は、長方形状の基板５１と、基板５１の一方の面に設けられて嵌合検知ハーネス４を内部に挿通するリング部５２と、基板５１の他方の面に設けられてガイド取付部３７に圧入される圧入部５３と、を一体に備えている。
【００７５】
基板５１は、その長手寸法、及び幅寸法が、回転規制部３８の長手寸法、及び幅寸法と略等しく形成されている。この基板５１の他方の面（圧入部５３側の面）には、その長手方向の両端部のそれぞれに、ガイド部５がガイド取付部３７に取り付けられた状態で、第１側壁３Ａに向かって突出して形成されて第１側壁３Ａに当接する凸部５４が形成されている。凸部５４が形成されていることにより、圧入部５３をガイド取付部３７内に圧入する際に、凸部５４が第１側壁３Ａに当接し、この状態で基板５１の中央部のみが弾性変形されるから、圧入部５３をガイド取付部３７の奥側に押し込むことができる。
【００７６】
リング部５２は、内部に嵌合検知ハーネス４を挿入させる一対の円弧部５５と、各円弧部５５の基板５１から離れた端部に連続して形成されて、嵌合検知ハーネス４を一対の円弧部５５の内部に挿入案内する一対の案内部５６と、一対の円弧部５５内部への挿入口５ａ（「開口部」の一例）を覆う覆い部５７と、を備えている。
【００７７】
一対の円弧部５５は、それぞれが半円弧状に形成されて、基板５１の長手方向に対向して設けられ、ガイド部５がガイド取付部３７に取り付けられた状態で、矢印ＹＺ方向の面に対して互いに向き合う位置に配置されている。また、一対の円弧部５５は、その他端同士が離間して設けられている。即ち、一対の円弧部５５（リング部５２）は、内部への挿入口５ａを有している。
【００７８】
一対の案内部５６は、それぞれ、一対の円弧部５５の他端に連続して設けられ、ガイド部５がガイド取付部３７に取り付けられた状態で、基板５１から矢印Ｚ方向に離れる方向に進むに従って、互いに矢印Ｘ方向に離れる方向に傾斜して形成されている。
【００７９】
覆い部５７は、棒状に形成され、一端が一対の円弧部５５のうち一方の円弧部５５の内面に連続されて、他端が他方の円弧部５５に向かって延びて形成されている。このような覆い部５７は、嵌合検知ハーネス４が、ガイド部５の挿入口５ａから挿入され、嵌合検知ハーネス４によって、覆い部５７の他端が一方の円弧部５５に近付くように一旦弾性変形し、弾性復元して、嵌合検知ハーネス４を、覆い部５７よりもガイド部５の奥側に位置付けた後、嵌合検知ハーネス４と挿入口５ａとの間に設けられて、嵌合検知ハーネス４に対する挿入口５ａを覆っている。
【００８０】
圧入部５３は、棒状の部材がＵ字状に曲げられて形成された曲げ部５８と、曲げ部５８の両端のそれぞれに連続されて形成されてガイド取付部３７内に位置付けられる連続部５９と、を備えている。曲げ部５８には、連続部５９側の端部に、連続部５９から離れた端部から連続部５９に向かうに従って徐々に径寸法が大きくなるように形成されて、ガイド取付部３７の周縁に係止する係止部５８Ａが設けられている。
【００８１】
このようなガイド部５をガイド取付部３７に取り付ける際には、曲げ部５８の平行な部分を互いに近付け弾性変形させた状態でガイド取付部３７内に挿入する。凸部５４が第１側壁３Ａに当接し、基板５１の中央部が弾性変形されてハウジング３の第１側壁３Ａに接触するまで、圧入部５３をガイド取付部３７の奥側に押まれ、連続部５９がガイド取付部３７内に位置付けられる。曲げ部５８が弾性復元して、係止部５８Ａが、第１側壁３Ａの内面側で、ガイド取付部３７の周縁に係止する。こうしてガイド部５がガイド取付部３７に取り付けられる。基板５１の中央部が弾性変形された状態で、ガイド５がガイド取付部３７に取り付けられているから、ガイド部５は、ガイド取付部３７にがたつくことなく取付けられる。
【００８２】
次に、嵌合検知ハーネス４のハウジング３への配索手順の一例について図１０を参照して説明する。
【００８３】
図１０に示すように、まず、嵌合検知ハーネス４の一端に設けられた一方の検知コネクタがハウジング３の内部において接続され、嵌合検知ハーネス４の他端側が導出部３６内に圧入され、ハウジング３の外部に導出されている。この状態で、ガイド部５を、基板５１の長手方向が上下方向を向く格好で、当接部５０を回転規制部３８に当接させるように圧入部５３の先端をガイド取付部３７に近付けて、ガイド取付部３７内に圧入して、ガイド部５を第１側壁３Ａに取り付ける。ガイド部５の当接部５０が、回転規制部３８に接触又は近接する。
【００８４】
ここで、ガイド部５が誤組付けされた場合について図１３を参照して説明する。仮に、ガイド部５を、基板５１の長手方向が上下方向に交差する格好で、圧入部５３の先端をガイド取付部３７に近付けて、ガイド取付部３７内に圧入した場合には、回転規制部３８が第１側壁３Ａとガイド部５の基板５１との間に挟まれ、係止部５８Ａを、ガイド取付部３７に係止させることができないから、ガイド部５のガイド取付部３７への誤組付けを防止できる。
【００８５】
ガイド部５がガイド取付部３７に取り付けられた状態で、嵌合検知ハーネス４の電線４０を、ガイド部５の挿入口５ａから一対の円弧部５５内に挿入し、覆い部５７の奥側まで押し込む。覆い部５７が一旦弾性変形した後、弾性復元して、覆い部５７がガイド部５の挿入口５ａを覆うとともに、嵌合検知ハーネス４がリング部５２の内部に挿通される。こうして、リング部５２の内部に挿通された嵌合検知ハーネス４がリング部５２の外部に抜け出ることが防止される。こうして、嵌合検知ハーネス４は、その軸方向（矢印Ｙ方向）に移動することが許容された状態で、かつ、その径方向（矢印Ｚ方向、及び矢印Ｘ方向）に移動することが規制されている。そして、他方の検知コネクタを配索方向Ｙ側で嵌合する。最後に、ハウジング３を第１側壁３Ａ側から矢印Ｚ方向に電子機器に近付け、端子２Ａ、３Ｂ、２Ｃを電子機器に電気接続するとともに、固定片３２を、電子機器の固定部（図示しない）に重ね、この状態でボルト締結して、ハウジング３を電子機器に固定する。
【００８６】
この際、嵌合検知ハーネス４は、ガイド部５により配索方向Ｙにガイドされて配索方向Ｙを規定された状態、即ち、配索方向以外の方向への移動を規制された状態で配索されることとなり、よって、端子２の他端を電子機器に嵌合する際に、嵌合検知ハーネス４が、電子機器と端子２とに干渉することを抑制できる。このように、ハウジング３の第１側壁３Ａ（外壁）に取り付けられたガイド部５により、嵌合検知ハーネス４を、端子２と電子機器とに干渉しない位置に配索させることで、コネクタ１を電子機器に嵌合する際の作業性の向上を図ることができる。また、コネクタ１を電子機器に嵌合後も、嵌合検知ハーネス４は、ガイド部５により移動が規制されることから、使用時の嵌合検知ハーネス４の端子２又は電子機器との干渉による損傷を防止できる。
【００８７】
以上、本発明について、好ましい実施形態を挙げて説明したが、本発明は上記実施形態の構成に限定されるものではない。嵌合検知ハーネス４の配索方向は矢印Ｙ方向であったが、第１側壁３Ａの面延在方向（矢印ＸＹ方向）であれば何れの方向であってもよい。また、ガイド部５の形状、ガイド取付部３７の形成位置、及び回転規制部３８の形成位置は、ガイド部５が、嵌合検知ハーネス４を端子２と電子機器とに干渉しない位置に配索させることができれば適宜変更してもよい。また、ガイド部５は、一対の円弧部５５が、基板５１の長手方向に対向配置されていたが、これに限定されるものではない。一対の円弧部５５が、基板５１の幅方向に対向配置されていてもよく、その対向方向は任意である。
【００８８】
また、上述した実施形態では、ワイヤハーネスとしての嵌合検知ハーネス４は、コネクタ１と相手方コネクタ、及び、コネクタ１と電子機器のそれぞれの嵌合を検知して、駆動源からの電力を、相手方コネクタ及びコネクタ１を介して電子機器に供給するものであったが、これに限定されるものではない。ワイヤハーネスは、コネクタ１と相手方コネクタ、及び、コネクタ１と電子機器のそれぞれの嵌合を検知するものでなくともよい。即ち、ワイヤハーネスは、一端がハウジング３の内部において接続され、他端がハウジング３の第１側壁３Ａを貫通してハウジング３の外部に導出されて接続されるものであればよく、電力を伝送するものであってもよく、制御信号を伝送するものであってもよい。
【００８９】
また、上述した実施形態では、嵌合検知ハーネス４のハウジング３への配索手順の一例について説明したが、本発明はこれに限ったものではなく、嵌合検知ハーネス４を、予めガイド部５のリング部５２内に挿通させた状態で、ガイド取付部３７に取り付けてもよい。また、嵌合検知ハーネス４の他方の検知コネクタを配索方向Ｙ側で嵌合した状態で、嵌合検知ハーネス４を、ガイド部５を介してガイド取付部３７に取り付けてもよい。
【００９０】
なお、前述した各実施形態は本発明の代表的な形態を示したに過ぎず、本発明は実施形態に実施形態に限定されるものではない。即ち、当業者は、従来公知の知見に従い、本発明の骨子を逸脱しない範囲で種々変形して実施することができる。かかる変形によってもなお本発明のコネクタの構成を具備する限り、勿論、本発明の範疇に含まれるものである。
【符号の説明】
【００９１】
（第１の実施形態：図１〜図９）
１０１、１０１Ａ  コネクタ
１１０        ハウジング
１１１        ハウジング本体
１１３        周壁（「外壁」の一例）
１１４        第１側壁１１４（「一壁部」の一例）
１３０、１３０Ａ〜１３０Ｃ    端子
１４０        嵌合検知部
１５０        嵌合検知ハーネス（「ワイヤハーネス」の一例）
１５１        電線部
１５３        他端側コネクタ部（「コネクタ部」の一例）
１６０、１６０Ａ  ワイヤハーネス保持部
１６１、１６１Ａ  一対のリブ
１６２        溝部
１６３        コネクタ掛止部
３００        電子機器
（第２の実施形態：図１０〜図１３）
１    コネクタ
２    端子
３    ハウジング
３Ａ  第１側壁（「外壁」の一例）
４    嵌合検知ハーネス（「ワイヤハーネス」の一例）
５    ガイド部
５ａ  挿入口（「開口部」の一例）
３７  ガイド取付部（「取付部」の一例）
３８  回転規制部（「突部」の一例）
５０  当接部
５２  リング部
５３  圧入部
５７  覆い部
【図１】
2015018791.tif 000003
【図２】
2015018791.tif 000004
【図３】
2015018791.tif 000005
【図４】
2015018791.tif 000006
【図５】
2015018791.tif 000007
【図６】
2015018791.tif 000008
【図７】
2015018791.tif 000009
【図８】
2015018791.tif 000010
【図９】
2015018791.tif 000011
【図１０】
2015018791.tif 000012
【図１１】
2015018791.tif 000013
【図１２】
2015018791.tif 000014
【図１３】
2015018791.tif 000015
【図１４】
2015018791.tif 000016